(57)【要約】      （修正有）【課題】単にケース内にフィギュアなどの収集物を収容しておくだけでなく、ユーザーにとっての利便性やエンターテインメント性を発揮できるコレクション・ケースを提供する。【解決手段】フィギュア、宝石、陶器などの収集物を収容しながら鑑賞するためのコレクション・ケースであって、容器の上板の下面の複数箇所にそれぞれ配置された白色ＬＥＤ７と、前記白色ＬＥＤの下方に配置された防眩カバー１３と、前記容器を構成する底板２の上面に備えられ、モーターにより回動可能で且つその上に収集物を載置可能なターンテーブル３と、が備えられている。また、前記容器の背板の内側には、前記容器の背板と略並行に配置された第１の鏡と、この第１の鏡の左右の位置にそれぞれこれと所定の角度を介して配置された第２及び第３の鏡とから成る三面鏡が備えられている。さらに、前記容器の背板の内側には、前記ターンテーブル上のフィギュアの服装や姿態などの収集物の状態に適した背景画像が表示された背景板（背景紙）８が配置されている。【選択図】図１
0003119126.tif 000002
【実用新案登録請求の範囲】
【請求項１】
フィギュア、宝石、陶器などの収集物を収容しながら鑑賞するためのコレクション・ケースであって、
少なくとも前面側にガラス製又はアクリル樹脂製の透明板が配置されている容器と、
前記容器を構成する上板の下面の複数箇所にそれぞれ配置された白色ＬＥＤと、
前記白色ＬＥＤの下方に配置された防眩カバーと、
前記容器を構成する底板の上面に備えられ、モーターにより回動可能で且つその上に収集物を載置可能なターンテーブルと、
が備えられていることを特徴とするコレクション・ケース。
【請求項２】
請求項１において、さらに、前記容器の背板の内側には、前記ターンテーブル上のフィギュアなどの収集物を映す鏡であって、前記容器の背板と略並行に配置された第１の鏡と、この第１の鏡の左右に位置にそれぞれこれと所定の角度を介して配置された第２及び第３の鏡とから成る三面鏡が備えられている、ことを特徴とするコレクション・ケース。
【請求項３】
請求項１において、さらに、前記容器の背板の内側には、前記ターンテーブル上のフィギュアの服装や姿態などの収集物の状態に適した背景画像が表示された背景板が備えられている、ことを特徴とするコレクション・ケース。
【請求項４】
請求項３において、前記背景板は、その左右方向の中央部がユーザーから遠ざかるように全体が湾曲するように形成されている、ことを特徴とするコレクション・ケース。
【請求項５】
請求項１から４までのいずれか一つにおいて、前記ターンテーブルは、一つの容器内に２個以上配置されており、この２個以上のターンテーブルはそれぞれステッピングモータにより回転するものである、ことを特徴とするコレクション・ケース。
【考案の詳細な説明】
【技術分野】
【０００１】
本考案は、フィギュアや宝石や陶器などの収集物を収容しながら鑑賞するためのコレクション・ケースに関する。
【背景技術】
【０００２】
従来より、フィギュアなどの収集愛好者は、自分が収集した多数のフィギュアなどを専用のコレクション・ケースに収容して保護しながら鑑賞することが多い。そのためのコレクション・ケースも複数種類、市販されている。
【考案の開示】
【考案が解決しようとする課題】
【０００３】
しかしながら、従来より市販されているフィギュアなどの収集物のコレクション・ケースは、いずれも、単にケース内にフィギュアなどの収集物を収容しておくだけのもので、それ以上の利便性やエンターテインメント性を発揮できるようなものではなかった。
【０００４】
本考案はこのような従来技術の問題点に着目してなされたものであって、単にケース内にフィギュアなどの収集物を収容しておくだけでなく、それ以上のユーザーのための利便性やエンターテインメント性を発揮できるコレクション・ケースを提供することを目的とする。
【課題を解決するための手段】
【０００５】
以上の課題を解決するための本考案によるコレクション・ケースは、フィギュア、宝石、陶器などの収集物を収容しながら鑑賞するためのコレクション・ケースであって、少なくとも前面側にガラス製又はアクリル樹脂製の透明板が配置されている容器と、前記容器を構成する上板の下面の複数箇所にそれぞれ配置された白色ＬＥＤと、前記白色ＬＥＤの下方に配置された防眩カバーと、前記容器を構成する底板の上面に備えられ、モーターにより回動可能で且つその上に収集物を載置可能なターンテーブルと、が備えられていることを特徴とするものである。
【０００６】
また、本考案によるコレクション・ケースは、前記容器の背板の内側には、前記ターンテーブル上のフィギュアなどの収集物を映す鏡であって、前記容器の背板と略並行に配置された第１の鏡と、この第１の鏡の左右に位置にそれぞれこれと所定の角度を介して配置された第２及び第３の鏡とから成る三面鏡が備えられている、ことを特徴とするものである。
【０００７】
また、本考案によるコレクション・ケースは、前記容器の背板の内側には、前記ターンテーブル上のフィギュアの服装や姿態などの収集物の状態に適した背景画像が表示された背景板（背景紙）が備えられている、ことを特徴とするものである。
【０００８】
また、本考案によるコレクション・ケースにおいて、前記背景板（背景紙）は、その左右方向の中央部がユーザーから遠ざかるように全体が湾曲するように形成されている、ことが望ましい。
【０００９】
また、本考案によるコレクション・ケースにおいては、前記ターンテーブルは、一つの容器内に２個以上配置されており、この２個以上のターンテーブルはそれぞれステッピングモータにより回転するものである、ことが望ましい。
【００１０】
さらに、本考案においては、前記容器の底板の上面に、ビロードやフェルトなどの重厚な布を張り付けることが望ましい。
【考案の効果】
【００１１】
本考案においては、前記容器を構成する上板の下面の複数箇所にそれぞれ白色ＬＥＤが配置され、この白色ＬＥＤから照射される目に良い白色光によりフィギュアなどの収集物が優しく照らし出されるので、ユーザーはフィギュアなどの収集物を最高の環境で鑑賞できるようになる。特に、白色ＬＥＤを使用する場合は、従来の白色蛍光灯などによる照明と異なって紫外線を照射しないので、フィギュアなどの収集物が紫外線で退色・劣化してしまう恐れがないというメリットもある。また、特に、本考案では、前記白色ＬＥＤの下方に防眩用カバーを備え付けるようにしているので、フィギュアなどの収集物が優しく照らし出されるので、最高の環境で鑑賞できるようになる。
【００１２】
また、本考案においては、前記容器を構成する底板の上面に、モーターにより回動可能で且つその上にフィギュアなどの収集物を載置可能なターンテーブルを配置しているので、ユーザーはフィギュアなどの収集物を回転させて自分の好みのアングルから自由に楽しむことができると共に、フィギュアなどの収集物をゆっくりと回転させながらそれを３６０度の全角度から鑑賞することもできる。
【００１３】
また、本考案においては、前記容器の背板の内側に、前記ターンテーブル上のフィギュアの服装や姿態などの収集物の状態に適した背景画像を表示する背景紙（背景板）を備えるようにしたので、ユーザーは、各フィギュアの服装や姿態などの収集物の状態に応じて、適当な背景画像を収集物の背後に配置し、フィギュアなどの収集物をその背後の背景画像と一体的に感得しながら鑑賞することができる。
【００１４】
また、本考案においては、前記容器の背板の内側に、前記ターンテーブル上のフィギュアなどの収集物を映す三面鏡を配置するようにしているので、ユーザーは、フィギュアなどの収集物を前方から見ながら、前記三面鏡により、そのフィギュアなどの収集物の背後やその左右からの姿態も同時に鑑賞することができる。
【００１５】
また、本考案においては、前記ターンテーブルを駆動するためのモーターとしてステッピングモーターを使用するようにしたので、ターンテーブルの回転むらがなく、また回転音がなく、落ち着いた静かな環境で鑑賞できる。また、本考案において、ターンテーブルを２つ設けて、それぞれにスピンドルモーターを備えるようにしたときは、２つのスピンドルモーターが高精度に同期して回転するので、２つのフィギュアなどの収集物を高精度に同期させながら回転させることができる。また、２つのターンテーブルを同時に互いに反対方向に回転させることもできる。
【００１６】
さらに、本考案において、前記容器内に水を収容した保湿容器を配置させておくことにより、容器内のフィギュアなどの収集物が乾燥により劣化することが防止できる。
また、本考案において、前記容器の底板の上面に、ビロードやフェルトなどの重厚な布を張り付けるようにしたときは、ユーザーは、自分が収集したフィギュアを高級感のある重厚な環境の中で鑑賞できるようになる。
【考案を実施するための最良の形態】
【００１７】
本考案を実施するための最良の形態は、以下の実施例１について述べるような形態である。
【実施例１】
【００１８】
図１は本考案の実施例１によるフィギュア用のコレクション・ケースを示す斜視図である。図１において、１は箱型のケースを構成するための金属製の枠体、２は前記枠体１に支持されている底板、３は前記底板２の図示下方に収容されたモーター（図示せず）により回動可能なターンテーブル、４はフィギュアと一体に形成されている載置台であって前記ターンテーブル３の上に配置される載置台、５はこの載置台の上にこれと一体的に成形されたフィギュア、６は前記枠体１により支持されている上板、７はこの上板６の下面の複数箇所に配置された白色ＬＥＤ（白色発光ダイオード）、８は前記枠体１に支持される背板（図１では示されていない）のフィギュア５側に配置され前記フィギュア５の服装や姿態に適する背景（例えば、砂浜と海と空と雲など）が印刷されている背景紙（背景紙が貼付された背景板）、である。
【００１９】
すなわち、図２Ａは図１のＡ−Ａ’線断面図である（フィギュア５は図示を省略している）が、この図２Ａに示すように、前記枠体１に支持される背板９のフィギュア５側には、前記フィギュア５の服装や姿態に適する背景（例えば、図示左右水平方向断面が、その中央部がユーザーから遠ざかるように少し湾曲した曲面となるように形成されている（図２Ａの符号８参照）。なお、図２Ａに示すように、前記枠体１の図示前方（ユーザー側）にはガラス又はアクリル樹脂製の透明板１０が配置され、前記枠体１の図示左右にもそれぞれガラス又はアクリル樹脂製の透明板１１，１２が配置されている。
【００２０】
また、図２Ｂは、図１に示すフィギュア用のコレクション・ケースの図示左右垂直方向の断面図である（フィギュアやターンテーブルは図示省略している）。本実施例１では、図２Ｂに示すように、前記容器の上板１の下面に備えられた複数の白色ＬＥＤ７の図示下方に、例えば白色のプラスチック製の防眩用カバー１３が配置されている。これにより、本実施例１では、前記白色ＬＥＤ７からの光が前記防眩カバー１３で散乱されて全体が均一の光量となって下方に照射されるので、フィギュア５が優しく照らし出されるようになる。なお、本実施例１では、前記の「白色のプラスチック製の防眩用カバー１３」に代えて、「前記複数の白色ＬＥＤ７の一部がそれぞれ露出する穴が形成されており表面が研磨されて光沢を有しているステンレス板」を配置することによって、前記白色ＬＥＤ７からの光がユーザーの眼に直接に入り難くして防眩用とするようにしてもよい。また、この場合の前記プラスチック製の防眩用カバー又は前記ステンレス板は、前記白色ＬＥＤ７の駆動用の電気回路基板をユーザーから見えないようにするという作用効果も有している。
【００２１】
また、本実施例１においては、図示は省略しているが、前記底板２の上に水を収容した保湿容器を配置させるようにしている。これにより、前記の樹脂製のフィギュア５が乾燥により劣化してしまうことが防止できる。また、本実施例１においては、前記底板２の上面に、ビロードやフェルトなどの重厚な布（図示省略）が張り付けられている。これにより、本実施例１のコレクション・ケースに高級感を出すことができる。
【００２２】
本実施例１では、前述のように、前記上板６の下面の複数箇所にそれぞれ白色ＬＥＤ７が配置され、この白色ＬＥＤ７からの光が前記防眩カバー１３を通して下方に照射され、フィギュア５が優しく照らし出されるので、ユーザーはフィギュア５を最高の環境で鑑賞できるようになる。また、前記白色ＬＥＤ７からは、白色蛍光灯を使用する場合と異なって紫外線を全く照射しないので、フィギュア５が紫外線で退色・劣化してしまうことを防止することができる。
【００２３】
また、本実施例１では、フィギュア５と載置台４を載置する場所に前記ターンテーブル３を設置しているので、ユーザーは、フィギュア５を回転させて自分の好みのアングルから自由に楽しむことができると共に、フィギュア５をゆっくりと回転させながらそれを３６０度の全角度から鑑賞することもできる。
【００２４】
また、本実施例１では、前記背板９の内側に、前記ターンテーブル３上の女子高生姿のフィギュア５の服装や姿態などに適する砂浜・海・空・雲などの背景画像を印刷した背景紙８を配置するようにしたので、ユーザーは、フィギュア５を、その背後に在る背景紙８の画像と一体的に鑑賞することができる。
【実施例２】
【００２５】
次に、本考案の実施例２によるコレクション・ケースを図３〜４を参照して説明する。図４は図３のＢ−Ｂ’線断面図（フィギュア５は図示省略している）である。図３〜４において、前記の図１〜２と概ね共通する部分には同一の符号を付して説明を省略する。また、本実施例２の構成は、前記実施例１と基本的に同様であるので、以下では異なる点のみを説明し前記実施例１と同様の内容については説明を省略する。
【００２６】
本実施例２においては、前記枠体１に支持されている背板９（図４参照）の内側に、前記ターンテーブル３上のフィギュア５を映す鏡として、前記背板９と略並行に配置された鏡２１と前記鏡２１の左右に位置にそれぞれこれと所定の角度（例えば約４５度）を介して配置された鏡２２，２３とから成る三面鏡２０が、備えられている。
【００２７】
なお、前記三面鏡２０は、ステンレス製板の表面を研磨して鏡面仕上げしたものを折り曲げ加工することなどにより形成できるが、ガラス製の鏡を使用してもよい。以上に説明したような三面鏡２０を備えることにより、本実施例２では、ユーザーは、前記フィギュア５の前方を鑑賞しながら、同時に、その背後とその左右の姿をも、前記三面鏡２０に映して鑑賞することができる。
【００２８】
以上、本考案の各実施例について説明したが、本考案及び本考案を構成する各構成要件は、それぞれ、前記の各実施例及び前記の各実施例を構成する各要素として述べたものに限定されるものではなく、様々な修正及び変更が可能である。例えば、前記各実施例では、いずれも一つのケースの中に一つのフィギュアを収容して鑑賞する場合を示したが、本考案では、ケースを大型にして、一つの大型のケースの中に複数個のターンテーブルを配置してそれぞれにフィギュアを回動可能に載置して鑑賞することも可能である。この場合、複数のターンテーブルをそれぞれステッピングモータで駆動するようにすれば、複数のターンテーブルの動きを高精度に同期させることができる。また、前記各実施例では、いずれも箱型のケースを示したが、本考案では、例えば水平方向の断面形状が円形状、楕円形状、又は六角形などの多角形状に形成されているものでもよい。
【図面の簡単な説明】
【００２９】
【図１】本考案の実施例１によるコレクション・ケースを示す斜視図。
【図２Ａ】図１のＡ−Ａ’線断面図。
【図２Ｂ】図１の図示左右垂直方向の断面図。
【図３】本考案の実施例２によるコレクション・ケースを示す斜視図。
【図４】図３のＢ−Ｂ’線断面図。
【符号の説明】
【００３０】
１          枠体
２          底板
３          ターンテーブル
４          載置台
５          フィギュア
６          上板
７          白色ＬＥＤ
８          背景紙
９          背板
１０，１１，１２           透明板
１３      防眩カバー
２０      三面鏡
２１，２２，２３           鏡
【図１】
0003119126.tif 000003
【図２Ａ】
0003119126.tif 000004
【図２Ｂ】
0003119126.tif 000005
【図３】
0003119126.tif 000006
【図４】
0003119126.tif 000007